(57)【特許請求の範囲】
【請求項１】
放送電波として放送データを放送する放送局又はネットワークを介した配信により前記放送データを放送する配信装置とサーバと少なくとも１つの端末を備え、
前記放送局又は配信装置は、コンテンツを含むデータを前記放送データとして放送する第１放送手段を備え、
前記少なくとも１つの端末は、
前記コンテンツを含む放送データに含まれるコンテンツをダウンロードするダウンロード手段と、
前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得手段と、
前記暗号解読鍵の送信を、前記暗号解読鍵取得用情報を用いて、前記サーバに対して要求する暗号解読鍵送信要求手段と、
前記要求に対して前記サーバから送信されてきた前記暗号解読鍵を受信する暗号解読鍵受信手段と、
前記コンテンツの暗号化されている部分を前記暗号解読鍵を用いて暗号解読する暗号解読手段と、
を備え、
前記サーバは、
前記暗号解読鍵の送信を要求してきた端末に対する認証処理を行う認証手段と、
前記認証処理が成功したならば、前記暗号解読鍵を要求元の端末に送信する暗号解読鍵送信手段と、
を備え、
前記暗号解読手段において、一つの前記コンテンツの暗号化されている部分全てを暗号解読するためには前記暗号解読鍵が複数個必要であることを特徴とするコンテンツ・ダウンロード・システム。
【請求項２】
放送電波として放送データを放送する放送局又はネットワークを介した配信により前記放送データを放送する配信装置とサーバと少なくとも１つの端末を備え、
前記放送局又は配信装置は、コンテンツを含むデータを前記放送データとして放送する第１放送手段を備え、
前記少なくとも１つの端末は、
前記コンテンツを含む放送データに含まれるコンテンツをダウンロードするダウンロード手段と、
前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得手段と、
前記暗号解読鍵の送信を、前記暗号解読鍵取得用情報を用いて、前記サーバに対して要求する暗号解読鍵送信要求手段と、
前記要求に対して前記サーバから送信されてきた前記暗号解読鍵を受信する暗号解読鍵受信手段と、
前記コンテンツの暗号化されている部分を前記暗号解読鍵を用いて暗号解読する暗号解読手段と、
を備え、
前記サーバは、
前記暗号解読鍵の送信を要求してきた端末に対する認証処理を行う認証手段と、
前記認証処理が成功したならば、前記暗号解読鍵を要求元の端末に送信する暗号解読鍵送信手段と、
を備え、
前記暗号解読手段において、一つの前記暗号解読鍵により、複数の前記コンテンツの暗号化されている部分全てを暗号解読することができることを特徴とするコンテンツ・ダウンロード・システム。
【請求項３】
放送電波として放送データを放送する放送局又はネットワークを介した配信により前記放送データを放送する配信装置とサーバと少なくとも１つの端末を備えたシステムが行うコンテンツ・ダウンロード方法において、
前記放送局又は配信装置が、コンテンツを含むデータを前記放送データとして放送する第１放送ステップと、
前記少なくとも１つの端末が、前記コンテンツを含む放送データに含まれるコンテンツをダウンロードするダウンロードステップと、
前記少なくとも１つの端末が、前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得ステップ手段と、
前記少なくとも１つの端末が、前記暗号解読鍵の送信を、前記暗号解読鍵取得用情報を用いて、前記サーバに対して要求する暗号解読鍵送信要求ステップと、
前記サーバが、前記暗号解読鍵の送信を要求してきた端末に対する認証処理を行う認証ステップと、
前記サーバが、前記認証処理が成功したならば、前記暗号解読鍵を要求元の端末に送信する暗号解読鍵送信ステップと、
前記少なくとも１つの端末が、前記要求に対して前記サーバから送信されてきた前記暗号解読鍵を受信する暗号解読鍵受信ステップと、
前記少なくとも１つの端末が、前記コンテンツの暗号化されている部分を前記暗号解読鍵を用いて暗号解読する暗号解読ステップと、
を備え、
前記暗号解読ステップにおいて、一つの前記コンテンツの暗号化されている部分全てを暗号解読するためには前記暗号解読鍵が複数個必要であることを特徴とするコンテンツ・ダウンロード方法。
【請求項４】
放送電波として放送データを放送する放送局又はネットワークを介した配信により前記放送データを放送する配信装置とサーバと少なくとも１つの端末を備えたシステムが行うコンテンツ・ダウンロード方法において、
前記放送局又は配信装置が、コンテンツを含むデータを前記放送データとして放送する第１放送ステップと、
前記少なくとも１つの端末が、前記コンテンツを含む放送データに含まれるコンテンツをダウンロードするダウンロードステップと、
前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得ステップと、
前記少なくとも１つの端末が、前記暗号解読鍵の送信を、前記暗号解読鍵取得用情報を用いて、前記サーバに対して要求する暗号解読鍵送信要求ステップと、
前記サーバが、前記暗号解読鍵の送信を要求してきた端末に対する認証処理を行う認証ステップと、
前記サーバが、前記認証処理が成功したならば、前記暗号解読鍵を要求元の端末に送信する暗号解読鍵送信ステップと、
前記少なくとも１つの端末が、前記要求に対して前記サーバから送信されてきた前記暗号解読鍵を受信する暗号解読鍵受信ステップと、
前記少なくとも１つの端末が、前記コンテンツの暗号化されている部分を前記暗号解読鍵を用いて暗号解読する暗号解読ステップと、
前記暗号解読手段において、一つの前記暗号解読鍵により、複数の前記コンテンツの暗号化されている部分全てを暗号解読することができることを特徴とするコンテンツ・ダウンロード方法。
【発明の詳細な説明】
【技術分野】
【０００１】
本発明は、放送局又は配信装置が放送するコンテンツを端末にダウンロードするためのコンテンツ・ダウンロード・システムに関する。
【背景技術】
【０００２】
近年、地上アナログ・テレビ放送から地上デジタル・テレビ放送への移行が進められており、地上デジタル・テレビ放送が全国に普及した後の２０１１年頃には、地上アナログ・テレビ放送は中止される予定となっている。そうすると、ＶＨＦ(Very High Frequency)帯域は、地上アナログ・テレビ放送から開放されることとなる。地上デジタル音声放送は、ＶＨＦ帯域を利用する次世代の放送であり、既に試験的に行われている。
【０００３】
地上デジタル音声放送の標準規格は、電波産業会（Association of Radio Industries and Businesses）において、ＩＳＤＢ−ＴＳＢ(Integrated Services Digital Broadcasting-Terrestrial for Sound Broadcasting)（ＡＲＩＢ  ＳＴＤ−Ｂ２９）として定められている（例えば、非特許文献１参照。）。
【非特許文献１】「地上デジタル音声放送の伝送方式標準規格  ＡＲＩＢ  ＳＴＤ−Ｂ２９  ２．１版」  発行所：社団法人  電波産業会、発行月：平成１５年７月
【発明の開示】
【発明が解決しようとする課題】
【０００４】
地上デジタル音声放送においては、音声のみならず種々のコンテンツ（静止画、動画、データ等）も放送することが可能となっている。従って、地上デジタル音声放送の受信装置が、放送局から放送されてきたコンテンツをダウンロードし、格納し、再生する機能を備えていて、ユーザがそのようなコンテンツを楽しむということを想定することが出来る。
【０００５】
例えば、地上デジタル音声放送のＡ階層において基本的な放送を流し、その放送中にＢ階層において放送されるコンテンツへのリンクを含ませておき、受信装置においてユーザによりそのリンクが選択されたならば、受信装置がそのコンテンツをダウンロードし、格納し、その後、何度でも再生するということを想定することが出来る。
【０００６】
このような場合、コンテンツの著作権（公衆送信権、複製権等）を保護するためには、コンテンツを取得するユーザに対し著作権料の課金をして、課金されたユーザのみがコンテンツを再生することが出来るようにする必要が生じることがある。
【０００７】
また、所定の条件を満たすユーザ（例えば、あるグループに属するユーザ）のみがコンテンツを再生することが出来るようにする必要が生じることがある。
【０００８】
しかし、地上デジタル音声放送は、放送局から受信装置へ片方向に流れるものであるため、地上デジタル音声放送のシステムのみを用いて、再生許可の制御をすることは困難である。
【０００９】
そこで、本発明は、放送されたコンテンツについて再生許可の制御をすることを可能とするコンテンツ・ダウンロード・システムを提供することを目的とする。
【課題を解決するための手段】
【００１０】
本発明の第１の観点によれば、放送電波として放送データを放送する放送局又はネットワークを介した配信により前記放送データを放送する配信装置とサーバと少なくとも１つの端末を備え、前記放送局又は配信装置は、コンテンツを含むデータを前記放送データとして放送する第１放送手段を備え、前記少なくとも１つの端末は、前記コンテンツを含む放送データに含まれるコンテンツをダウンロードするダウンロード手段と、前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得手段と、前記暗号解読鍵の送信を、前記暗号解読鍵取得用情報を用いて、前記サーバに対して要求する暗号解読鍵送信要求手段と、前記要求に対して前記サーバから送信されてきた前記暗号解読鍵を受信する暗号解読鍵受信手段と、前記コンテンツの暗号化されている部分を前記暗号解読鍵を用いて暗号解読する暗号解読手段と、を備え、前記サーバは、前記暗号解読鍵の送信を要求してきた端末に対する認証処理を行う認証手段と、前記認証処理が成功したならば、前記暗号解読鍵を要求元の端末に送信する暗号解読鍵送信手段と、を備え、前記暗号解読手段において、一つの前記コンテンツの暗号化されている部分全てを暗号解読するためには前記暗号解読鍵が複数個必要であることを特徴とするコンテンツ・ダウンロード・システムが提供される。
本発明の第２の観点によれば、放送電波として放送データを放送する放送局又はネットワークを介した配信により前記放送データを放送する配信装置とサーバと少なくとも１つの端末を備え、前記放送局又は配信装置は、コンテンツを含むデータを前記放送データとして放送する第１放送手段を備え、前記少なくとも１つの端末は、前記コンテンツを含む放送データに含まれるコンテンツをダウンロードするダウンロード手段と、前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得手段と、前記暗号解読鍵の送信を、前記暗号解読鍵取得用情報を用いて、前記サーバに対して要求する暗号解読鍵送信要求手段と、前記要求に対して前記サーバから送信されてきた前記暗号解読鍵を受信する暗号解読鍵受信手段と、前記コンテンツの暗号化されている部分を前記暗号解読鍵を用いて暗号解読する暗号解読手段と、を備え、前記サーバは、前記暗号解読鍵の送信を要求してきた端末に対する認証処理を行う認証手段と、前記認証処理が成功したならば、前記暗号解読鍵を要求元の端末に送信する暗号解読鍵送信手段と、を備え、前記暗号解読手段において、一つの前記暗号解読鍵により、複数の前記コンテンツの暗号化されている部分全てを暗号解読することができることを特徴とするコンテンツ・ダウンロード・システムが提供される。
本発明の第３の観点によれば、放送電波として放送データを放送する放送局又はネットワークを介した配信により前記放送データを放送する配信装置とサーバと少なくとも１つの端末を備えたシステムが行うコンテンツ・ダウンロード方法において、前記放送局又は配信装置が、コンテンツを含むデータを前記放送データとして放送する第１放送ステップと、前記少なくとも１つの端末が、前記コンテンツを含む放送データに含まれるコンテンツをダウンロードするダウンロードステップと、前記少なくとも１つの端末が、前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得ステップ手段と、前記少なくとも１つの端末が、前記暗号解読鍵の送信を、前記暗号解読鍵取得用情報を用いて、前記サーバに対して要求する暗号解読鍵送信要求ステップと、前記サーバが、前記暗号解読鍵の送信を要求してきた端末に対する認証処理を行う認証ステップと、前記サーバが、前記認証処理が成功したならば、前記暗号解読鍵を要求元の端末に送信する暗号解読鍵送信ステップと、前記少なくとも１つの端末が、前記要求に対して前記サーバから送信されてきた前記暗号解読鍵を受信する暗号解読鍵受信ステップと、前記少なくとも１つの端末が、前記コンテンツの暗号化されている部分を前記暗号解読鍵を用いて暗号解読する暗号解読ステップと、を備え、前記暗号解読ステップにおいて、一つの前記コンテンツの暗号化されている部分全てを暗号解読するためには前記暗号解読鍵が複数個必要であることを特徴とするコンテンツ・ダウンロード方法が提供される。
本発明の第４の観点によれば、放送電波として放送データを放送する放送局又はネットワークを介した配信により前記放送データを放送する配信装置とサーバと少なくとも１つの端末を備えたシステムが行うコンテンツ・ダウンロード方法において、前記放送局又は配信装置が、コンテンツを含むデータを前記放送データとして放送する第１放送ステップと、前記少なくとも１つの端末が、前記コンテンツを含む放送データに含まれるコンテンツをダウンロードするダウンロードステップと、前記コンテンツの暗号化されている部分の暗号解読をするための暗号解読鍵を取得するために用いる暗号解読鍵取得用情報を、前記コンテンツ又は前記コンテンツと共にダウンロードした前記コンテンツの関連部分、の一箇所から前記暗号解読鍵複数個分取得する暗号解読鍵取得用情報取得ステップと、前記少なくとも１つの端末が、前記暗号解読鍵の送信を、前記暗号解読鍵取得用情報を用いて、前記サーバに対して要求する暗号解読鍵送信要求ステップと、前記サーバが、前記暗号解読鍵の送信を要求してきた端末に対する認証処理を行う認証ステップと、前記サーバが、前記認証処理が成功したならば、前記暗号解読鍵を要求元の端末に送信する暗号解読鍵送信ステップと、前記少なくとも１つの端末が、前記要求に対して前記サーバから送信されてきた前記暗号解読鍵を受信する暗号解読鍵受信ステップと、前記少なくとも１つの端末が、前記コンテンツの暗号化されている部分を前記暗号解読鍵を用いて暗号解読する暗号解読ステップと、前記暗号解読手段において、一つの前記暗号解読鍵により、複数の前記コンテンツの暗号化されている部分全てを暗号解読することができることを特徴とするコンテンツ・ダウンロード方法が提供される。
【発明の効果】
【００１９】
本発明によれば、放送電波として放送データを放送する放送局又はネットワークを介した配信により前記放送データを放送する配信装置とサーバと少なくとも１つの端末を備え、前記放送局又は配信装置は、コンテンツを含むデータを前記放送データとして放送する第１放送手段を備え、前記少なくとも１つの端末は、前記コンテンツを含む放送データに含まれるコンテンツをダウンロードするダウンロード手段と、前記コンテンツの暗号化されている部分の暗号解読をするための暗号解読鍵の送信を、前記サーバに対して要求する暗号解読鍵送信要求手段と、前記要求に対して前記サーバから送信されてきた前記暗号解読鍵を受信する暗号解読鍵受信手段と、前記コンテンツの暗号化されている部分を前記暗号解読鍵を用いて暗号解読する暗号解読手段と、を備え、前記サーバは、前記暗号解読鍵の送信を要求してきた端末に対する認証処理を行う認証手段と、前記認証処理が成功したならば、前記暗号解読鍵を要求元の端末に送信する暗号解読鍵送信手段と、を備え、前記暗号解読手段において、一つの前記コンテンツの暗号化されている部分全てを暗号解読するためには前記暗号解読鍵が複数個必要であることを特徴とするので、認証された端末のみが放送されたコンテンツの暗号化された部分の暗号解読をすることが可能となり、従って、放送されたコンテンツについて再生許可の制御をすることが可能となる。
【発明を実施するための最良の形態】
【００２０】
以下、図面を参照して本発明を実施するための最良の形態について詳細に説明する。
【００２１】
まず、本実施形態によるコンテンツ・ダウンロード・システムの構成について説明する。
【００２２】
図１を参照すると、本実施形態によるコンテンツ・ダウンロード・システムは、放送局１０１、複数の端末１０２−１、１０２−２、・・・、１０２−Ｎ及びサーバ１０３を備える。
【００２３】
放送局１０１は、地上デジタル音声放送をする。端末１０２は、例えば、携帯電話機であり、通常の携帯電話機の機能（通話機能、メール機能、アドレス帳機能、ブラウジング機能等）の他に、放送局１０１からの地上デジタル音声放送を受信する機能、携帯網１０４を介してサーバ１０３と双方向の通信を行う機能を有する。サーバ１０３は、端末１０２を認証し、端末１０２に対して課金をし、端末１０２に対して暗号解読鍵を送出する機能を有する。携帯網１０４には、基地局、基地局制御装置、サーバ１０３とのインターフェース、ＳＧＳＮ(Serving GPRS Support Node; サービング・ＧＰＲＳ・サポート・ノード)、ＧＧＳＮ(Gateway GPRS Support Node; ゲートウェイ・ＧＰＲＳ・サポート・ノード)、ＷＰＧ(WAP Gateway; ＷＡＰゲートウェイ)、ＭＳＣ(Mobile service Switching Center; モバイル・サービス・スイッチング・センタ)、ＳＭＳ−Ｃ(Short Message Service-Center; ショート・メッセージ・サービス・センタ)、ＰＰＧ(Push Proxy Gateway; プッシュ・プロキシ・ゲートウェイ)等が含まれている。
【００２４】
また、放送局１０１が送出する地上デジタル音声放送と同一の内容を有するデータをインターネット等のネットワークに接続された配信サーバに格納し、端末１０２にそのデータをダウンロードする機能を持たせること（いわゆる「テレビ放送やラジオ放送のネットワーク配信」）によっても、放送局１０１から放送された地上デジタル音声放送を端末１０２が受信することと同様なことを行える。以下の放送局及びこれに関連した部分についての説明は、放送局を配信サーバに置換えた場合にも当てはまる。
【００２５】
地上デジタル音声放送とは、例えば、上述したように、ＩＳＤＢ−ＴＳＢ（ＡＲＩＢ  ＳＴＤ−Ｂ２９）に準拠したものである。地上デジタル音声放送では、図２に示すように、１つのＶＨＦチャンネル又はＵＨＦチャンネルに含まれる複数（例えば、８個、１４個（使用できる周波数帯域幅に依存する。））のセグメントのうちの一部（図２の例では３個）のセグメントが１つの地上デジタル音声放送チャンネルのために利用される。
【００２６】
１セグメント当たりの伝送レートは、例えば、約３３０ｋｂｐｓであり、１セグメント当たりの周波数帯域幅は、例えば、約４３２ｋＨｚである。また、変調方式としては、例えば、ＯＦＤＭ（Orthogonal Frequency Division Multiplexing）が利用される。
【００２７】
１つの地上デジタル音声放送チャンネルに含まれる複数のセグメントは、Ａ階層とＢ階層に分類される。Ａ階層では、ＢＭＬ(Broadcast Markup Language)データ、動画データ、静止画データ、音声データ、字幕データ等が放送される。Ｂ階層では、コンテンツ（例えば、静止画データ、動画データ、音声データ、文書データ等）等が放送される。但し、一般には、Ａ階層、Ｂ階層の利用の形態は自由であり、他の形態で利用してもよい。ある地上デジタル音声放送チャンネルを選択した受信機は、Ａ階層及びＢ階層のデータを全て受信することができる。Ａ階層の或るエレメンタリ・ストリームに含まれるＢＭＬにおいて、Ｂ階層の或るエレメンタリ・ストリームに含まれるコンテンツへのリンクを記述しておけば、ユーザがそのリンクを選択することにより、そのコンテンツを出力できるようになる。
【００２８】
ＢＭＬは、ＸＭＬの応用言語であり、ＣＳＳ(Cascading Style Sheets)、ＤＯＭ(Document Object Model)、ＥＣＭＡ  Ｓｃｒｉｐｔ（スクリプト）の規格を取り入れている。ＢＭＬデータ内には、表示するべき文字データ、スクリプト等が記述されている。また、ＢＭＬデータの記述に従って、静止画データ、等が画面に配置される。
【００２９】
ＢＭＬデータ、静止画データ、コンテンツ等は、ＩＳＯ／ＩＥＣ  １３８１８−６に規定されているＤＳＭ−ＣＣデータカルーセル（Digital Storage Media-Command and Control Data Carousel）伝送方式により放送される。
【００３０】
図３及び図４に示すように、この伝送方式によれば、伝送されるべきデータ（図３に示す「伝送データ」）は、複数のモジュールに分割され、各モジュールは、複数のブロックに分割される。そして、伝送データを構成する全てのモジュールが繰り返して伝送される。各繰返しにおいては、伝送データを構成する全てのモジュールが１回だけ順次伝送される。そして、１つのモジュールの伝送においては、そのモジュール属する複数のＤＤＢが１回だけ順に伝送される。また、伝送データの容量が１つのモジュールの容量よりも少ない場合には、伝送データから１つのモジュールのみが得られる。ここでいう伝送データは、１つのコンテンツ、１つのコンテンツの一部又は複数のコンテンツである。伝送データが１つのコンテンツに対応し、これが複数のモジュールにより構成されるようにするためには、送信側で１つのコンテンツを複数のモジュールに分割し、受信側でそのコンテンツを復元する機能が必要となる。伝送データが複数のコンテンツである場合には、マルチパート形式が用いられる。
【００３１】
データカルーセル方式の各ブロックはトランスポート・ストリーム内の各セクション（ＰＥＳと同様なもの）のペイロードに割り当てられる。→各セクションではペイロードに対し巡回冗長符号（ＣＲＣ(Cyclic Redundancy Check)）が付加され、受信側で、誤り検出を行うことが可能となる。
【００３２】
例えば、ブロックに対応するセクションから誤りが検出されないこと、バージョン情報が正常であること等の正常なダウンロードのための所定の条件を満たすブロックのみが受信側でモジュールＩＤ、ブロック番号に従ってバッファに書き込まれるようにする。また、正常受信のための所定の条件を満たさないブロックに対して、それを示すフラグ、モジュールＩＤ及びブロック番号を相互に関連付ければ、そのモジュールのそのブロックは正しく受信できなかったということを検出することが出来る。
【００３３】
図５を参照すると、放送局１０１は、Ａ階層送信処理部２００−１、Ｂ階層送信処理部２００−２、伝送路符号化部２０７及びＲＦ(Radio Frequency)部２０８を備える。
【００３４】
Ａ階層送信処理部２００−１は、Ａ階層で送るべきデータを基に、トランスポート・ストリームを生成し、これを伝送路符号化部２０７に出力する。
【００３５】
Ｂ階層送信処理部２００−２は、Ｂ階層で送るべきデータを基に、トランスポート・ストリームを生成し、これを伝送路符号化部２０７に出力する。
【００３６】
伝送路符号化部２０７は、Ａ階層から入力したトランスポート・ストリーム及びＢ階層から入力したトランスポート・ストリームに対して、トランスポート・ストリーム再多重、誤り訂正符号化、インターリーブ、変調、ＯＦＤＭフレーム構成、ＩＦＦＴ等の処理を行い、その結果を送信信号として出力する。
【００３７】
ＲＦ部２０８は、送信信号を放送電波として送信する。
【００３８】
図６を参照すると、Ａ階層送信処理部２００−１は、エンコーダ群２０１、ＰＥＳ化部２０２、カルーセル送信処理部２０４、セクション化部２０５及びトランスポート・ストリーム（ＴＳ）多重化部２０６を備える。
【００３９】
エンコーダ群２０１は、複数のエンコーダを備える。各エンコーダは、各コンテンツの種類に応じたものであり、例えば、動画エンコーダ、静止画エンコーダ、音声エンコーダ、字幕エンコーダ、文書データエンコーダである。
【００４０】
ＰＥＳ化部２０２は、エンコーダ群２０１から入力した各エレメンタリ・ストリーム（ＥＳ：Elementary Stream）を複数のパケットに分割して、その結果をＰＥＳ(Packetized Elementary Stream)として出力する。ＰＥＳには、基となるエレメンタリ・ストリームを示すＰＩＤ(Packet ID)が付される。
【００４１】
カルーセル送信処理部２０４は、エンコーダ群２０１から入力したコンテンツ又は外部からエンコーダ群２０１を介さずに入力したコンテンツに対して、カルーセル送信処理を行う。具体的には、コンテンツを複数のモジュールに分割し、各モジュールをブロックに分割し、モジュール毎に複数のＤＤＢ(Download Data Block)を出力する。
【００４２】
セクション部２０５は、カルーセル送信処理部２０４から入力したＤＩＩ及びＤＤＢ並びに外部から入力したＰＳＩ／ＳＩ(Program Specific Information/Specific Information)及びイベントメッセージ等に対して、セクション化処理を行う。具体的には、入力したペイロード部に対してヘッダ（テーブルＩＤを含む。）及びＣＲＣ(Cyclic Redundancy Check)を付加して、その結果得られるセクションを出力する。
【００４３】
ＴＳ多重化部２０６は、ＰＥＳ化部２０２から入力したＰＥＳ及びセクション化部２０５から入力したセクションを多重化することによりトランスポート・ストリームを生成し、トランスポート・ストリームを出力する。
【００４４】
Ａ階層に含まれるＢＭＬデータは、カルーセル送信処理部２０４及びセクション化部２０５を経由してＴＳ多重化部２０６に入力される。Ａ階層に含まれる動画データ及び音声データは、エンコーダ群２０１及びＰＥＳ化部２０２を経由してＴＳ多重化部２０６に入力される。Ａ階層に含まれる静止画データは、エンコーダ群２０１、カルーセル送信処理部２０４及びセクション化部２０５を経由してＴＳ多重化部２０６に入力される。Ａ階層に含まれる字幕データは、エンコーダ群２０１及びセクション化部２０５を経由してＴＳ多重化部２０６に入力される。
【００４５】
図７を参照すると、Ｂ階層送信処理部２００−２は、エンコーダ群２０１、ＰＥＳ化部２０２、暗号化部２０３、カルーセル送信処理部２０４、セクション化部２０５及びＴＳ多重化部２０６を備え、図６に示したＡ階層送信処理部２００−１と比較すると、暗号化部２０３が追加されている点が異なる。
【００４６】
エンコーダ群２０１、ＰＥＳ化部２０２、セクション部２０５及びＴＳ多重化部２０６は、Ａ階層送信処理部２００−１のものと同様なものであるので、その説明を省略する。
【００４７】
暗号化部２０３は、エンコーダ群２０１から入力したコンテンツ又は外部からエンコーダ群２０１を介さずに入力したコンテンツを暗号化する。暗号化は、コンテンツのタイトルに対応する暗号鍵を用いて行う。ここで、タイトルとは、例えば、音楽の場合であれば、曲名と演奏者（歌唱者を含む。）の組合せ（演奏の場所、日時等を含む場合もある。）であり、映画の場合であれば、その名称（音声や字幕の言語等を含む場合もある）である。但し、コンテンツと暗号鍵を１対１に対応させることは必須ではなく、１回の認証に対して１つの暗号鍵を対応させ、１つの暗号鍵に複数のコンテンツ又は１つのコンテンツの一部を対応させるようにしても良い。
【００４８】
カルーセル送信処理部２０４は、エンコーダ群２０１から入力したコンテンツ、暗号化部２０３から入力したコンテンツ又は外部からエンコーダ群２０１も暗号化部２０３も介さずに入力したコンテンツに対して、カルーセル送信処理を行う。
【００４９】
Ｂ階層に含まれるコンテンツは、エンコーダ群２０１、暗号化部２０３、カルーセル送信処理部２０４及びセクション化部２０５を経由して、又は、エンコーダ群２０１を経由せずに、暗号化部２０３、カルーセル送信処理部２０４及びセクション化部２０５を経由して、ＴＳ多重化部２０６に入力される。
【００５０】
図８を参照すると、各端末１０２は、チューナ部２２１、伝送路復号化部２２２、ＴＳ多重分離部２２３、ＰＥＳ受信処理部２２４、セクション受信処理部２２５、カルーセル受信処理部２２６、デコーダ群２２７、ＢＭＬブラウザ２２８、コンテンツ・ダウンロード部２２９、コンテンツ格納部２３０、携帯網用アンテナ２３１、携帯網用変復調部２３２、暗号解読鍵取得部２３３、暗号解読鍵格納部２３４、暗号解読部２３５、表示部２３６、スピーカ２３７、キー群２３８、ユーザ・インターフェース制御部２３９を備える。
【００５１】
チューナ部２２１は、指定された地上デジタル音声放送チャンネルに対応する放送局１０１のＲＦ部２０８から送出された放送電波を受信し、送信信号を復元する。
【００５２】
伝送路復号部２２２は、伝送路符号化部２０７の処理と逆の処理を行い、Ａ階層のトランスポート・ストリーム及びＢ階層のトランスポート・ストリームを復元する。
【００５３】
ＴＳ多重分離部２２３は、伝送路復号部２２２から入力したＡ階層のトランスポート・ストリーム及びＢ階層のトランスポート・ストリームのうちの指定されたトランスポート・ストリームからＰＥＳ及びセクションを多重分離する。
【００５４】
ＰＥＳ受信処理部２２４は、ＴＳ多重分離部２２３から入力したＰＥＳを基に、各ＰＩＤ毎に、エレメンタリ・ストリームを復元する。
【００５５】
セクション受信処理部２２５は、ＴＳ多重分離部２２３から入力したセクションを基に、各テーブルＩＤ毎に、セクション化前のデータを復元する。また、セクション受信処理部２２５は、各セクション毎にＣＲＣを基にエラー検出を行い、エラーが検出されたセクションに対してはデータの復元が不可能であることを示すフラグをセットする。
【００５６】
カルーセル受信処理部２２６は、セクション受信処理部２２５から入力したセクションデータを基に、複数のブロックを集めることにより、各モジュールを復元し、複数のモジュールを集めることにより、伝送データを復元する。あるモジュールを復元するために必要な複数のブロックのうち一部のブロックが、そのモジュールに対する複数の周期のうちのある周期で正しく受信できていないことにより、そのモジュールを復元できない場合には、後続する何れかの周期でその一部のブロックが正しく受信できるまで待ち、その後にそのモジュールを復元する。
【００５７】
デコーダ群２２７は、複数のデコーダを備える。各デコーダは、各コンテンツの種類に応じたものであり、例えば、動画デコーダ、静止画デコーダ、音声デコーダ、字幕デコーダ、文書データデコーダである。
【００５８】
ＢＭＬブラウザ２２８は、カルーセル受信処理部２２６から入力したＢＭＬファイル中の記述及びユーザ・インターフェース制御部２３９から入力したユーザによる操作内容に従って、表示部２３６に表示するべき画面及びスピーカ２３７から出力するべき音声を構成し、その結果得られる画面及び音声を、それぞれ、表示部２３６及びスピーカ２３７に出力する。また、特に、ＢＭＬブラウザ２２８は、カルーセル受信処理部２２６から入力したＢＭＬファイル中の記述及びユーザ・インターフェース制御部２３９から入力したユーザによる操作内容を基に、ユーザがＢ階層の或るコンテンツをダウンロードするための操作をしたことを検出したならば、コンテンツ・ダウンロード部２２９を起動し、コンテンツ・ダウンロード部２２９に対し、そのコンテンツをダウンロードするように指示する。この起動のためには、例えば、ＢＭＬファイルに記述された、コンテンツ・ダウンロード部２２９を起動するための関数を実行する。また、コンテンツの指定のためのコンテンツ位置情報としては、例えば、そのコンテンツのＵＲＩを用いる。このＵＲＩとしては、例えば、ＡＲＩＢ  ＳＴＤ−Ｂ２４で規定されている下記のようなものを利用する。
【００５９】
arib-dc://<original_network_id>.<transport_stream_id>
.<service_id>[;content_id][.event_id]/
<component_tag>/<module_name>
ここで、original_networ_idは、各マスター毎に固有なＩＤであり、例えば、エフエム東京（登録商標）のＩＤである。transport_stream_idは、各トランスポートに固有なＩＤであり、例えば、或る３セグメント地上デジタル音声放送のＢ階層のトランスポート・ストリームのＩＤである。service_idは、地上デジタル音声放送チャンネルの中の１つの編成チャンネルを識別するためのものである。component_tagは、エレメンタリ・ストリーム（又は一連のセクションより成るストリーム）を指定するものである。module_nameはそのエレメンタリ・ストリームで時系列的に流れる複数のコンテンツのうちの特定のコンテンツを指定する。
【００６０】
コンテンツ・ダウンロード部２２９は、ＢＭＬブラウザ２２８から指示されたコンテンツをダウンロードする。動作の一例を説明すると、コンテンツ位置情報を基に、コンテンツが含まれている地上デジタル音声放送チャンネルの指定をチューナ部２２１に出力し、そのコンテンツが含まれているトランスポート・ストリームの指定をＴＳ多重分離部２２３に出力する。そして、チューナ部２２１から伝送路復号部２２２、ＴＳ多重分離部２２３、セクション受信処理部２２５、カルーセル受信処理部２２６を経由してきたデータのうち
<service_id><component_tag>/<module_name>
に対応するデータである、コンテンツ位置情報に対応するコンテンツを入力し、そのコンテンツをコンテンツ格納部２３０に書き込む。但し、通常は、コンテンツが含まれている地上デジタル音声放送チャンネルは、現在のチャンネルと同一であるため、チャンネルの指定は特に必要ない。
【００６１】
カルーセル送信処理部２０４及びカルーセル受信処理部２２６により１まとまりのデータとされたものが、或るコンテンツの一部である場合には、コンテンツ・ダウンロード部２２９は、これらを複数集めることにより１つのコンテンツを復元する処理を行う。
【００６２】
また、カルーセル送信処理部２０４及びカルーセル受信処理部２２６により１まとまりのデータとされたものが、マルチパート形式のコンテンツである場合には、そのままコンテンツ格納部２３０に格納しても良いし、各コンテンツ毎に分離してコンテンツ格納部２３０に格納しても良い。
【００６３】
コンテンツ格納部２３０は、コンテンツ・ダウンロード部２２９からのコンテンツを格納する。コンテンツ格納部２３０は、例えば、携帯電話機に内蔵された不揮発性メモリ（例えば、ＥＥＰＲＯＭ、フラッシュメモリ）、携帯電話機に挿入された不揮発性メモリ等である。
【００６４】
携帯網用アンテナ２３１は、携帯網１０４の基地局（図示せず。）との間で携帯網用の電波の送受信を行う。
【００６５】
携帯網用変復調部２３２は、例えば、Ｗ−ＣＤＭＡ(Wideband-Code Division Multiple Access)方式、ＰＤＣ(Personal Digital Cellular)方式、ＧＳＭ(Global System for Mobile Communications)方式等に従って、変復調を行う。
【００６６】
図９を参照すると、コンテンツ格納部２３０に格納されたコンテンツは、暗号化されている部分（暗号化部分）及び暗号化部分の暗号解読を行うための暗号解読鍵を取得するための情報（暗号解読鍵取得用情報）を含む。但し、コンテンツが暗号解読鍵取得用情報を含まないようにして、コンテンツの関連部分（例えば、コンテンツを運んだパケット）に暗号解読鍵取得用情報を含ませるようにしても良い。暗号解読鍵取得用情報は、例えば、暗号解読鍵を送出するサーバの識別情報及びコンテンツのタイトルの識別情報を備える。コンテンツを複数の部分に分割し、各部分の暗号化部分を各部分毎に異なった暗号鍵で暗号化されたものとして、各部分が暗号化部分及びそれに対応した暗号解読鍵取得情報を含むようにしても良い。また、マルチパート形式に含まれるコンテンツの暗号化部分を各コンテンツ毎に異なった暗号解読鍵により暗号解読できるようにして、マルチパート形式のコンテンツ全体に各コンテンツ毎の暗号解読鍵取得用情報が一箇所に又は分散して含まれるようにしても良い。また、マルチパート形式に含まれる全てのコンテンツの暗号化部分を同一の暗号解読鍵により暗号解読できるようにして、マルチパート形式のコンテンツ全体に１つの暗号解読鍵取得用情報が含まれるようにしても良い。
【００６７】
暗号解読鍵取得部２３３は、コンテンツ・ダウンロード部２２９により起動され、コンテンツ・ダウンロード部２２９がコンテンツ格納部２３０に格納したコンテンツ又はその関連部分に含まれている暗号解読鍵取得用情報をそのコンテンツ又はその関連部分から取得し、その暗号解読鍵取得用情報を利用して、サーバ１０３から暗号解読鍵をダウンロードする。但し、コンテンツをダウンロードした直後に、コンテンツ・ダウンロード部２２９により暗号解読鍵取得部２３３を起動するのではなく、ユーザが最初にコンテンツを視聴しようとしたときに、それを検出したユーザ・インターフェース制御部２３９により暗号解読鍵取得部２３３を起動するようにしてもよい。
【００６８】
暗号解読鍵格納部２３４は、暗号解読鍵取得部２３３がダウンロードした暗号解読鍵を格納する。暗号解読鍵格納部２３４は、例えば、携帯電話機に内蔵された不揮発性メモリ、携帯電話機に挿入された不揮発性メモリ等である。なお、暗号解読鍵格納部２３４を携帯電話機に内蔵された不揮発性メモリに限ることにより、暗号解読鍵の可搬性を無くし、コンテンツの著作権を厚く保護することが可能となる。
【００６９】
暗号解読部２３５は、ユーザ・インターフェース制御部２３９から指定されたコンテンツをコンテンツ格納部２３０から読み出し、そのコンテンツに対応した暗号解読鍵を暗号解読鍵格納部２３４から読み出し、そのコンテンツの暗号化部分をその暗号解読鍵により暗号解読し、暗号化部分が無くなったコンテンツをデコーダ群２２８に出力する。
【００７０】
暗号解読部２３５から入力したコンテンツに対応したデコーダがデコーダ群２２８から選択され、そのデコーダは、そのコンテンツをデコードする。デコードされたコンテンツは、表示部２３６、スピーカ２３７又はその双方に出力される。
【００７１】
また、ＢＭＬデータに従った画面に組み込まれるべきことがＢＭＬデータにより指定されている画像データやＢＭＬデータに従った画面と同期するべきことがＢＭＬデータにより指定されている音声データがコンテンツである場合には、そのようなコンテンツは、ＢＭＬブラウザ２２８からの指示に従って、コンテンツ格納部２３０から読み出され、暗号解読部２３５及びデコーダ群２２８を経由して、ＢＭＬブラウザ２２８に入力されるようにしても良い。
【００７２】
また、放送局１０１においてエンコーダ群２０１を経由しないで暗号化部２０３に入力されたコンテンツは、暗号解読部２３５からデコーダ群２２８を経由しないで、表示部２３６、スピーカ２３７又はＢＭＬブラウザ２２８に入力されるようにしても良い。
【００７３】
表示部２３６は、ＢＭＬブラウザ２２８から入力した画像データ、デコーダ群２２８から入力した画像データに従った画面を表示する。また、表示部２３６は、ユーザ・インターフェース制御部２３９からの信号に従って、ユーザ・インターフェースのための画面を表示する。
【００７４】
スピーカ２３７は、ＢＭＬブラウザ２２８から入力した音声データ、デコーダ群２２８から入力した音声データに従った音声を出力する。また、スピーカ２３７は、ユーザ・インターフェース制御部２３９からの信号に従って、ユーザ・インターフェースのための音声を出力する。
【００７５】
キー群２３８は、テンキー、記号キー、方向キー、機能キー等を備える。
【００７６】
ユーザ・インターフェース制御部２３９は、表示部２３６、スピーカ２３７、キー群２３９を利用して、ユーザとのインターフェースを制御する。また、ユーザからの指示内容をＢＭＬブラウザ２２８、暗号解読部２３５、デコーダ群２２７等に出力する。
【００７７】
端末１０２は、これが携帯電話機である場合には、図８に示す部分以外の部分（例えば、マイク、音声コーデック、メール機能部、アドレス帳部、ブラウザ部）を備えるが、これらの部分についての説明は省略する。また、端末１０２は、図８に示すような部分を備えるものであれば良く、例えば、ＰＨＳ端末、パーソナルコンピュータ、ＰＤＡ(Personal Digital Assistant)等であってもよい。
【００７８】
また、図８に示す部分のうちハードウェアでなければ実現することができない部分（例えば、コンテンツ格納部２３０、暗号解読鍵格納部２３４）以外の部分（例えば、ＢＭＬブラウザ２２８、コンテンツ・ダウンロード部２２９）は、ハードウェアによって実現しても良いし、ソフトウェアによって実現しても良いし、ハードウェア及びソフトウェアの組合せによって実現しても良い。
【００７９】
図１０を参照すると、サーバ１０３は、通信部２５１、認証部２５２、課金部２５３、暗号解読鍵格納部２５４及び暗号解読鍵読出部２５５を備える。
【００８０】
通信部２５１は、携帯網１０４を介して、端末１０２と通信を行うためのものである。
【００８１】
認証部２５２は、端末１０２から送られてきた端末１０２の機器識別情報及び暗証番号を基に、端末１０２に対する認証を行う。また、認証に成功し、課金が成功したならば、許可信号を暗号解読鍵読出部２５５に出力する。
【００８２】
課金部２５３は、認証された端末１０２に対して、暗号解読鍵の送出に伴う課金のための処理を行う。
【００８３】
認証された端末１０２に対して課金を行う代わりに、その端末１０２のユーザが所定の条件を満たしているか否かをユーザデータベース（図示せず）等を参照することにより判断し、満たしている場合に、課金なしに認証部２５２が許可信号を暗号解読鍵読出部２５５に出力するようにしてもよい。
【００８４】
暗号解読鍵格納部２５４は、地上デジタル音声放送でダウンロード可能としている各コンテンツのタイトルに対応した暗号解読鍵を格納している。
【００８５】
暗号解読鍵読出部２５５は、認証部２５２からの許可信号を入力したならば、暗号解読鍵格納部２５４に格納されている暗号解読鍵のうち端末１０２から受信した暗号解読鍵取得用情報により識別される暗号解読鍵を暗号解読鍵格納部２５４から読み出し、通信部２５１を介して端末１０２に送出する。
【００８６】
次に、本実施形態によるコンテンツ・ダウンロード・システムの動作について説明する。
【００８７】
コンテンツをＡ階層に含ませることもＢ階層に含ませることも可能である。従って、Ａ階層のみの受信によってコンテンツをダウンロードすることもできる。しかし、以下では、Ｂ階層にコンテンツが含まれ、そのコンテンツへのリンク情報がＡ階層に含まれている典型的な場合を例に取り説明する。
【００８８】
図１１を参照すると、まず、端末１０２は、ある地上デジタル音声放送チャンネルがユーザにより選択されたならば、そのチャンネルのＡ階層のコンテンツを受信し、表示部２３６に表示し、スピーカ２３７から出力する（ステップＳ３０１）。表示部２３６が表示する画面には、ＢＭＬデータに従って、Ｂ階層のコンテンツのダウンロードを開始するためのオブジェクト（例えば、ボタン、文字列、画像等）が含まれている。このオブジェクトには、ＢＭＬデータに従って、コンテンツ・ダウンロード部２２９を起動するための関数及びコンテンツ位置情報が関連付けられている。また、このオブジェクトの近くには、ＢＭＬデータに従って、そのＢ階層のコンテンツをユーザに認識してもらうための情報（コンテンツ認識情報）が表示される。また、このオブジェクトを含む画面が表示されている期間に、ＢＭＬデータに従って、そのＢ階層のコンテンツに対応したコンテンツ認識情報であって音声の形態を有するものがスピーカ２３７から出力されるようにしても良い。コンテンツ認識情報は、例えば、コンテンツのタイトル、演奏者や出演者を表す静止画や簡易動画、動画コンテンツのさわりの静止画や簡易動画、説明文、音楽のイントロやさわり等である。
【００８９】
この間、ユーザ・インターフェース制御部２３９は、継続的にキー群２３８からの信号を監視することにより、Ｂ階層のコンテンツのダウンロードを開始するためのオブジェクトに対して操作がなされたか否か（例えば、ボタンが押されたか否か）を見る（ステップＳ３０２）。
【００９０】
Ｂ階層のコンテンツのダウンロードを開始するための操作が検出されたならば（ステップＳ３０２でＹＥＳ）、コンテンツ・ダウンロード部２２９は、コンテンツ位置情報により識別されるコンテンツをダウンロードして、コンテンツ格納部２３０に格納する（ステップＳ３０３）。
【００９１】
次に、暗号解読鍵取得部２３３は、ステップＳ３０３でダウンロードされたコンテンツの暗号化部分を暗号解読するための暗号解読鍵をダウンロードして、暗号解読鍵格納部２３４に格納する（ステップＳ３０４）。
【００９２】
最後に、デコーダ群２２８中のコンテンツに対応したデコーダは、ステップＳ３０３でコンテンツ格納部２３０に格納されたコンテンツを再生（デコード）する（ステップＳ３０５）。この際、暗号解読部２３５は、そのコンテンツの暗号化部分の暗号解読を行う。
【００９３】
次に、ステップＳ３０３及びＳ３０４の詳細について説明する。
【００９４】
図１２を参照すると、ＢＭＬブラウザ２２８は、Ｂ階層のコンテンツのダウンロードを開始するためのオブジェクトに対する操作がなされたことを示すイベントをユーザ・インターフェース制御部２３９から入力したならば、そのイベントとＢＭＬデータから得られたＤＯＭツリーデータの記述に基づいて、コンテンツ位置情報をＤＯＭツリーデータから取得する（ステップＳ３０３−１）。
【００９５】
次に、ＢＭＬブラウザ２２８は、コンテンツ・ダウンロード部２２９を起動し、コンテンツ・ダウンロード部２２９に対しコンテンツ位置情報を渡す（ステップＳ３０３−２）。
【００９６】
起動されたコンテンツ・ダウンロード部２２９は、コンテンツ位置情報により指定されるコンテンツをダウンロードし（ステップＳ３０３−３）、コンテンツ格納部２３０に格納する（ステップＳ３０３−４）。
【００９７】
次に、コンテンツ・ダウンロード部２２９は、暗号解読鍵取得部２３３を起動し（ステップＳ３０４−１）、起動された暗号解読鍵取得部２３３は、ステップＳ３０３−４でコンテンツ格納部２３０に格納されたコンテンツから暗号解読鍵取得用情報を取得し（ステップＳ３０４−２）、その暗号解読鍵取得用情報により指定される暗号解読鍵をダウンロードし（ステップＳ３０４−３）、暗号解読鍵格納部２３４に格納する（ステップＳ３０４−４）。
【００９８】
次に、ステップＳ３０５の詳細について説明する。
【００９９】
図１３を参照すると、ユーザ・インターフェース制御部２３９は、ユーザによりコンテンツの再生を要求されたことを検出した時等に暗号解読部２３５及びデコーダ群２２８中のコンテンツに対応したデコーダを起動する（ステップＳ３０５−１）。次に、起動された暗号解読部２３５は、ステップＳ３０３−４でコンテンツ格納部２３０に格納されたコンテンツの暗号化部分をステップＳ３０４−４で暗号解読鍵格納部２３４に格納された暗号解読鍵で暗号解読し（ステップＳ３０５−２）、起動されたデコーダは、暗号化部分が無くなったコンテンツを再生（デコード）する（ステップＳ３０５−３）。
【０１００】
なお、上記の実施形態では、地上デジタル音声放送を例に取り説明したが、この他、例えば、地上デジタルテレビ放送、衛星デジタルテレビ放送等のデジタル放送に適用してもよい。
【図面の簡単な説明】
【０１０１】
【図１】本発明の実施形態によるコンテンツ・ダウンロード・システムの構成を示すブロック図である。
【図２】地上デジタル音声放送で利用される周波数帯域を示す図である。
【図３】カルーセル伝送方式におけるデータの分割方法等を示す図である。
【図４】カルーセル伝送方式を示すタイミング図である。
【図５】図１に示す放送局の構成を示すブロック図である。
【図６】図５に示すＡ階層送信処理部の構成を示すブロック図である。
【図７】図５に示すＢ階層送信処理部の構成を示すブロック図である。
【図８】図１に示す端末の構成を示すブロック図である。
【図９】本発明の実施形態におけるコンテンツの構成を示す図である。
【図１０】図１に示すサーバの構成を示すブロック図である。
【図１１】本発明の実施形態によるコンテンツ・ダウンロード・システムにより行われるコンテンツ・ダウンロード方法を示すフローチャートである。
【図１２】図１１に示すステップＳ３０３及びＳ３０４の詳細を示すフローチャートである。
【図１３】図１１に示すステップＳ３０５の詳細を示すフローチャートである。
【符号の説明】
【０１０２】
１０１  放送局
１０２−１、１０２−２、・・・、１０２−Ｎ  端末
１０３  サーバ
１０４  携帯網
２００−１  Ａ階層送信処理部
２００−２  Ｂ階層送信処理部
２０１  エンコーダ群
２０２  ＰＥＳ化部
２０３  暗号化部
２０４  カルーセル送信処理部
２０５  セクション化部
２０６  ＴＳ多重化部
２０７  伝送路符号化部
２０８  ＲＦ部
２２１  チューナ部
２２２  伝送路復号化部
２２３  ＴＳ多重分離部
２２４  ＰＥＳ受信処理部
２２５  セクション受信処理部
２２６  カルーセル受信処理部
２２７  デコーダ群
２２８  ＢＭＬブラウザ
２２９  コンテンツ・ダウンロード部
２３０  コンテンツ格納部
２３１  携帯網用アンテナ
２３２  携帯網用変復調部
２３３  暗号解読鍵取得部
２３４  暗号解読鍵格納部
２３５  暗号解読部
２３６  表示部
２３７  スピーカ
２３８  キー群
２３９  ユーザ・インターフェース制御部
２５１  通信部
２５２  認証部
２５３  課金部
２５４  暗号解読鍵格納部
２５５  暗号解読鍵読出部
【図１】
0004582653.tif 000002
【図２】
0004582653.tif 000003
【図３】
0004582653.tif 000004
【図４】
0004582653.tif 000005
【図５】
0004582653.tif 000006
【図６】
0004582653.tif 000007
【図７】
0004582653.tif 000008
【図８】
0004582653.tif 000009
【図９】
0004582653.tif 000010
【図１０】
0004582653.tif 000011
【図１１】
0004582653.tif 000012
【図１２】
0004582653.tif 000013
【図１３】
0004582653.tif 000014